(57)【要約】      （修正有）【課題】構成が簡易であり、ロープをスムーズに移動することのできるエンドレス方式のウインチ、及びエンドレス方式のウインチを用いたネット又はシートの連結したロープの移動システムを提供する。【解決手段】駆動軸２の設けられたウインチ本体４と、該駆動軸に取り付けられ、外周縁に溝の形成された巻回ドラム６と、該巻回ドラムの近傍でロープを巻回ドラムの溝に取り入れ及び取り出し補助する一対のガイドローラ３Ａ，３Ｂと、巻回ドラムの溝に沿ってロープを押圧する押圧体７から構成されたエンドレス方式のウインチ１において、前記押圧体の両端側がそれぞれ交差するガイドローラに連結され、且つ該ガイドローラが弾性体１２で付勢されている。【選択図】図１
2012056768.tif 000002
【特許請求の範囲】
【請求項１】
駆動軸の設けられたウインチ本体と、該駆動軸に取り付けられ、外周縁に沿って溝の形成された巻回ドラムと、該巻回ドラムの近傍でロープを巻回ドラム側に取り入れ及び巻回ドラムの溝より取り出し移動をする支持軸に回転自在な一対のガイドローラと、巻回ドラムの溝に沿ってロープを押圧するように設けられ、巻回ドラムの回転方向に沿って所望量移動する押圧体から構成されたエンドレス方式のウインチにおいて、前記押圧体の両端側がそれぞれ交差するようにガイドローラに連結され、且つ該ガイドローラは弾性体で付勢され、支持軸を移動すべく構成されていることを特徴とするエンドレス方式のウインチ。
【請求項２】
ウインチ本体に設けられた駆動軸を回転駆動し、該駆動軸に取り付けられた巻回ドラムを回転するとともに、該巻回ドラムの外周縁に沿って形成された溝に設けられた押圧体でロープを溝側に押圧し、該巻回ドラムの近傍に設けられた一対のガイドローラでロープを巻回ドラム側へ取り入れ及び巻回ドラムの溝より取り出し移動することで該ロープに連結されたネット又はシートを吊り張り又は収納移動するエンドレス方式のウインチを用いたネット又はシートの連結したロープの移動システムにおいて、前記押圧体による溝側へのロープの押圧とガイドローラの揺動移動しながらの回転によるロープの巻回ドラムへの取り入れ移動、及びロープの巻回ドラムよりの取り出し時のロープへの押圧の解除とガイドローラの回転によるロープの巻回ドラムよりの取り出し移動をそれぞれ連動することを特徴とするエンドレス方式のウインチを用いたネット又はシートの連結したロープの移動システム。
【発明の詳細な説明】
【発明の詳細な説明】
【技術分野】
【０００１】本発明は、例えばネットに連結し、エンドレス状に吊り張りしたワイヤロープを移動するのに使用するエンドレス方式のウインチ、及びエンドレス方式のウインチを用いたネット又はシートの連結したロープの移動システムに関する。
【背景技術】
【０００２】従来、ネットの移動に使用するエンドレス方式のウインチは、手動用のハンドル又はモータ等の駆動源に連結するための駆動軸の設けられたウインチ本体と、駆動軸に取り付けられ、外周縁に沿ってワイヤロープを巻回するための溝の形成された円形状の巻回ドラムと、該巻回ドラムの近傍で前記ウインチ本体に平行して回転自在に取り付けられ、巻回ドラムへワイヤロープを取り入れ及び巻回ドラムよりワイヤロープを取り出し移動する一対のガイドローラと、両端側をウインチ本体に固定されたバネに連結し、巻回ドラムの溝に沿って設けられ、ワイヤロープを溝側に押圧しながら巻回ドラムの回転方向に所望量移動する押圧体としてのローラチェーンから構成されている。【０００３】上記エンドレス方式のウインチは、ウインチ本体に設けられた一方のガイドローラに沿ってワイヤロープをウインチ本体に取り入れ、巻回ドラムの回転により該巻回ドラムの溝に沿ってワイヤロープを巻回しながら移動した後、巻回ドラムより取り出したワイヤロープを他方のガイドローラに沿ってウインチ本体より取り出し移動する。この際、ワイヤロープは巻回ドラムの回転により回転方向に引っ張られたローラチェーンで溝側に押圧され、巻回ドラムの回転を確実にワイヤロープに伝導して移動することができる。【０００４】また、駆動軸を逆回転駆動し、巻回ドラムを回転することで逆に他方のガイドローラよりワイヤロープをウインチ本体に取り入れ、巻回ドラムに巻回した後、一方のガイドローラよりワイヤロープを取り出し移動する。【０００５】この際も上記と同様に、ワイヤロープはローラチェーンで溝側に押圧され、巻回ドラムの逆回転を確実に伝導して移動することができる。【０００６】このように、エンドレス方式のウインチは、駆動軸を正・逆回転してワイヤロープを移動するのに使用する。
【発明が解決しようとする課題】
【０００７】しかしながら、上記エンドレス方式のウインチは、ワイヤロープの移動時において、該ワイヤロープをローラチェーンで巻回ドラムの溝側へ押圧しているために、ワイヤロープに発生する弛み／撓みに対応することができるが、ワイヤロープに撓み等が発生すると固定式のガイドローラではウインチ本体へのワイヤロープの取り入れ及び取り出しを適切に行うことができず、巻回ドラムの回転を確実にワイヤロープに伝達できない。特に、ネットに連結したワイヤロープを移動する場合は、ウインチへのワイヤロープの取り入れ及び取り出し時にテンションが変更があると、ワイヤロープに弛み等が発生し易くスムーズなワイヤロープの移動ができない欠点があった。
【０００８】また、ローラチェーンの溝に沿っての移動量のみでワイヤロープのテンションの相違に対応しているために、ローラチェーンの両端部に連結したバネに伸びが発生しやすく、スムーズなワイヤロープの連続移動ができないという欠点があった。
【０００９】また、ワイヤロープの移動方向を変更する際、上記テンションの相違によりワイヤロープに弛み等が発生し易く、ローチェーンによる巻回ドラムの溝側への押圧のみでは、弛み等を確実に解消することができないという欠点があった。
【００１０】また、上記弛み等の発生は、スムーズなワイヤロープの移動ができない原因となった。
【００１１】また、上記エンドレス方式のウインチは、ローラチェーンの両端側をバネによる弾性体に連結しているが、バネはガイドローラと巻回ドラム間に設置する必要があり設置位が限定されることで、ワイヤロープの取り入れ及び取り出し方向、及びガイドローラの設置位置が限定されるという構造上の欠点があった。
【００１２】また、従来のガイドローラは一対のガイドローラ間を調整して取り付けることで、ワイヤロープのウインチ本体よりの取り込み及び取り出し時の引っ張り力に対応しているために、予めガイドローラ間を調整する必要があり、その作業が煩雑であるという欠点があった。
【００１３】本発明は、上記課題を解決するものであって、構成が簡易であり、且つ確実にロープを押圧してスムーズに移動することができるエンドレス方式のウインチ、及びエンドレス方式のウインチを用いたネット又はシートの連結したロープの移動システムを提供することを目的とするものである。
【課題を解決するための手段】
【００１４】本発明は上記課題を解決するウインチであって、請求項１は、駆動軸の設けられたウインチ本体と、該駆動軸に取り付けられ、外周縁に沿って溝の形成された巻回ドラムと、該巻回ドラムの近傍でロープを巻回ドラム側に取り入れ及び巻回ドラムの溝より取り出し移動をする支持軸に回転自在な一対のガイドローラと、巻回ドラムの溝に沿ってロープを押圧するように設けられ、巻回ドラムの回転方向に沿って所望量移動する押圧体から構成されたエンドレス方式のウインチにおいて、前記押圧体の両端側がそれぞれ交差するガイドローラに連結され、且つ該ガイドローラは弾性体で付勢され、支持軸を移動すべく構成されていることを特徴とする。
【００１５】また、上記課題を解決するシステムであって、請求項２は、ウインチ本体に設けられた駆動軸を回転駆動し、該駆動軸に取り付けられた巻回ドラムを回転するとともに、該巻回ドラムの外周縁に沿って形成された溝に設けられた押圧体でロープを溝側に押圧し、該巻回ドラムの近傍に設けられた一対のガイドローラでロープを巻回ドラム側へ取り入れ及び巻回ドラムの溝より取り出し移動することで該ロープに連結されたネット又はシートを吊り張り又は収納移動するエンドレス方式のウインチを用いたネット又はシートの連結したロープの移動システムにおいて、前記押圧体による溝側へのロープの押圧と、ガイドローラが揺動移動しながらの回転によるロープの巻回ドラムへの取り入れ移動、及びロープの巻回ドラムよりの取り出し時のロープへの押圧の解除とガイドローラの回転によるロープの巻回ドラムよりの取り出しをそれぞれ連動することを特徴とする。
【発明の作用及び効果】
【００１６】本発明のエンドレス方式のウインチ、及びエンドレス方式のウインチを用いたネット又はシートの連結したロープの移動システムについて説明する。
【００１７】先ず、エンドレス方式のウインチは、ウインチ本体に設けられた駆動軸を回転駆動することで巻回ドラムを一方向に回転しながら、ウインチ本体に設けられた一方のガイドローラを介してロープを取り入れ、さらに該ロープを巻回ドラムの溝に巻回した後、該巻回ドラムよりロープを他方のガイドローラより取り出すことで、ウインチ本体より取り出し移動する。
【００１８】また、上記駆動軸を逆回転駆動することで、他方のガイドローラを介してロープをウインチ本体に取り入れ、さらに該ロープを巻回ドラムの溝に巻回した後、該巻回ドラムよりロープを一方のガイドローラより取り出しすることで、ウインチ本体より取り出し移動する。
【００１９】上記ロープ移動時には、巻回ドラムの溝に沿って巻回されたロープを押圧体が溝側に押圧し、また該押圧体の両端側はそれぞれ交差するガイドローラに連結するとともにガイドローラは弾性体で付勢しているために、ロープの取り入れ側のガイドローラは押圧体の端部による引っ張りが弱く、ガイドローラは弾性体の付勢方に揺動移動しながら回転してロープを取り入れ移動し、巻回ドラムの溝に沿って引っ張られ、移動する押圧体の端部に連動してロープを溝側に取り入れる。
【００２０】そして、ロープの取り出し側のガイドローラは押圧体の端部により強く引っ張られた状態となり、押圧体の端部の溝側への押圧が解除された巻回ドラム部分よりロープが取り出され、該押圧体に連動し支持軸を一定位置で回転自在なガイドローラでロープを取り出し移動することができる。
【００２１】また、押圧体は巻回ドラムの回転方向に移動しながら、ロープを巻回ドラムの溝に押圧して移動するために、その両端部は溝側への押圧と、押圧の解除を行いロープを確実に移動ができる。
【００２２】このように、押圧体の両端部を交差してガイドローラに連結し、各ガイドローラは弾性体で付勢されているために、ロープのウインチへの取り入れ及び取り出しにおいて、ガイドローラと押圧体を連動することで、巻回ドラムの回転方向に応じて適切にロープを適切に移動することができる。
【００２３】しかも、その構成が簡易であり、メンテナンスが容易に行える。
【００２４】次に、エンドレス方式のウインチを用いたネット又はシートの連結したロープの移動システムは、ネット等に連結したロープを一方のガイドローラで押圧しながらウインチ本体に取り入れ、該ロープを巻回ドラムの溝に沿って押圧体で押圧しながら巻回した後、該ロープを巻回ドラムより他方のガイドローラで押圧しながらウインチ本体より取り出し移動する。
【００２５】この際、押圧体の両端側は交差し、それぞれ弾性体で付勢したガイドローラに連結しているために、ロープのウインチへの取り入れ側のガイドローラは連結した押圧体の端部の引っ張りが弱められるために、ロープのテンションに応じて支持軸を揺動移動しながら回転してロープを巻回ドラム側に適切に移動することができ、ロープのウインチよりの取り出し側のガイドローラは連結した端部が強く引っ張られ、支持軸の位置を移動することなく固定状態となり回転してロープを巻回ドラムより取り出し移動する。
【００２６】また、巻回ドラムの回転方向の溝への取り入れ側の押圧体の端部は、回転方向に強く引っ張られ溝側へ強く押圧し、溝よりの取り出し側の端部は弾性体の引っ張りが弱められ溝側より離反し溝側への押圧が解除される。
【００２７】しかも、上記各ガイドローラと押圧体は連動して作用するために、ロープのウインチへの取り入れ及び取り出しを効果的に行うことができる。
【００２８】このため、ロープに弛み／撓みが発生しても、押圧体の押圧移動及びガイドローラの回転により、該弛み等を解消しながら移動することができる。
【００２９】このように、本発明のエンドレス方式のウインチ、及びエンドレス方式のウインチを用いたネット又はシートの連結したロープの移動システムは、簡易な構成でウインチ本体でロープを適切に移動することができ、しかも、トラブルなくスムーズに移動することができる。
【００３０】また、押圧体の両端側が交差してガイドローラに連結されているために、その取り付けが簡易であり、また、ガイドローラの設置位置も自在に設置可能である。
【発明を実施するための最良の形態】
【００３１】次に、本発明に係るエンドレス方式のウインチ及びエンドレス方式のウインチを用いたネット又はシートの連結したロープの移動システムの一実施例を、図面を参照して説明する。【００３２】図１は本発明のエンドレス方式のウインチの一実施例を示す概略説明正面図であり、図２及び図３は図１のエンドレス方式のウインチを用いた正・逆回転時のロープの移動を示す概略説明図であり、図４及び図５は溝に沿って移動する支持軸を示す概略説明図を示し、図６は本発明のエンドレス方式のウインチを用いたネット又はシートの連結したロープの異動を示すフローチャートであり、図７は本発明のエンドレス方式のウインチの他実施例を示す概略説明正面図である。。【００３３】本発明のエンドレス方式のウインチ１の基本構成は、駆動源としてのモータ又は手動ハンドルに連結され、回転駆動する駆動軸２の設けられたウインチ本体４と、前記駆動軸２に取り付けられ、外周縁に沿って略Ｖ字状の溝５の形成された円形状の巻回ドラム６と、該巻回ドラム６の近傍位置で、ウインチ本体４に並行状態で回転自在に取り付けられた一対のガイドローラ３（３Ａ、３Ｂ）と、前記巻回ドラム６の溝５に沿って移動自在に設けられ、その両端側（７Ａ、７Ｂ）を前記ガイドローラ３（３Ａ、３Ｂ）に交差した状態（７Ａと３Ｂ、７Ｂと３Ａを連結）で連結した押圧体としてのローラチェーン７から構成されている。【００３４】前記ガイドローラ３は、ウインチ本体４に形成された長方形の切欠溝１０に支持軸１１を介して回転自在に取り付けられ、且つ弾性体としてのバネ１２により連結したローラチェーン７の端部側を引っ張るように付勢され、前記ローラチェーン７の端部との連結により常時は支持軸１１が切欠溝１０の中央に位置している。【００３５】そして、巻回ドラム６が回転してローラチェーン７が所望量移動すると、ローラチェーン７の後端部は交差して連結したガイドローラ３を強く引っ張りながら移動し、先端部は交差して連結したガイドローラ３に引っ張られることとなる。【００３６】即ち、ローラチェーン７の後端部に連結したガイドローラ３は、ローラチェーン７の引っ張り力がバネ１２による引っ張り力より強くなり、支持軸１１を切欠溝１０の先端側の位置で停止しガイドローラ３のみが回転し、ローラチェーン７の先端部に連結したガイドローラ３はローラチェーン７のよる引っ張りが弱く、バネ１２による引っ張りが強いために、支持軸１１は切欠溝１０中央から後端側の間に位置で揺動可能な状態でガイドローラ７が回転することとなる。【００３７】このため、ウインチ本体４へロープ９を取り入れる際は、ロープ９にかかるテンションに応じて支持軸１１は切欠溝１０を揺動移動してガイドローラ３を回転しロープ９を取り入れすることができ、適切な状態で巻回ドラム６の溝５に沿って移動したローラチェーン７の後端部で溝５側に押圧して溝５に沿って巻回することができる。【００３８】また、ウインチ本体４よりロープ９を取り出す際は、ローラチェーン７の先端部が巻回ドラム６の溝５より離反しているために溝５側への押圧が解除され、巻回したロープ９はまっすぐに延びる特性によりスムーズに取り出され、支持軸１１の一定したガイドローラ３の回転で取り出し移動できる。【００３９】このように、ローラチェーン７と各ガイドローラ３はそれぞれ連動することでロープ９をウインチ本体４にスムーズに取り入れ移動、及びウインチ本体４より取り出し移動することができる。【００４０】また、ロープ９に弛み／撓みがあると、ガイドローラ３の支持軸１１が切欠溝１０の中央側に移動してロープ９の弛み等を解消し、テンションがある場合はガイドローラ３の指示軸１１が切欠溝１０の後端側に移動してテンションに対応して巻回ドラム６側へ取り入れすることができる。【００４１】また、ウインチ本体４へのロープ９の取り入れ側と取り出し側とでロープ９にかかるテンションが相違しても、スムーズにロープ９を移動することができる。【００４２】本発明において、ロープ９の種類は、特に限定されずワイヤロープ、樹脂製ロープ等の一般的に使用されているあらゆるロープを含むものとする。【００４３】本発明のエンドレス方式のウインチ１は上記のように構成され、次に、該ウインチ１を用いたネット又はシートの連結したロープ９の移動システムの概略について説明する。【００４４】先ずネット又はシートを空間部に吊り張りすべく、空間部の一端側にウインチ１を設置し、対向する他端側に滑車（図示せず）を設置し、該ウインチ１と滑車間にロープ９をエンドレス状に架設し、該ロープ９に下方に並行してネットの上端側を移動自在に挿通したガイドロープを架設し、ネットの上部先端をロープ９に固定する。【００４５】上記状態で、先ず、モータ等の駆動源を用いて駆動軸２を回転駆動して巻回ドラム６を回転（正回転―矢印Ｘ方向）し、巻回ドラム６の溝５沿って設けられたローラチェーン７を回転方向に所望量移動するとともに、ローラチェーン７の後端部７Ａに連結した第２のガイドローラ３Ｂを引っ張り、ローラチェーン７の先端側７Ｂに連結した第１のガイドローラ３Ａの引っ張りを弱める。【００４６】これにより、第１のガイドローラ３Ａの支持軸１１は切欠溝１０の中央位置と後端部間で沿って揺動し、ウインチ本体４へ取り入れるロープ９にかかるテンションに応じて第１のガイドローラ３Ａは弱い押圧力で押圧しながら回転して巻回ドラム６側に取り入れ、ローラチェーン７の後端部７Ａで取り入れられたロープ９は巻回ドラム６の溝５側に押圧して巻回移動した後、溝４側より離反したローラチェーン７の先端側７Ｂでロープ９は溝５側への押圧が解除されて取り出され、第２のガイドローラ３Ｂの支持軸１１は切欠溝１０の先端側の移動位置で一定し、溝５より離反したロープ９を第２のガイドローラ３Ｂの回転でウインチ本体４より取り出し移動する。【００４７】このように、上記ウインチ１の駆動軸２を正回転することで、第１のガイドロープ３Ａは、弱い力で押圧しながら支持軸１１を揺動してロープ９を移動し、ロープ９に発生した弛み等を解消しながらウインチ本体４へ取り入れすることができる。【００４８】また、巻回ドラム６の溝５部分ではローラチェーン７の後端部７Ａがロープ９を溝５側に押圧しながら移動するために、巻回ドラム６の回転を確実にロープ９に伝達してロープ９を移動することができる。【００４９】さらに、ロープ９は直線状に延びる性質があり、ローラチェーン７の先端側７Ｂが巻回ドラム６の溝５から離反し、溝５側への押圧が解除されているために、溝５より容易に離反して第２のガイドローラ３Ｂ側に移動する。【００５０】また、第２のガイドローラ３Ｂは、ローラチェーン７の後端部７Ａに強く引っ張られ、また、バネ１２でローラチェーン７の後端部７Ａを引っ張るように構成しているために、支持軸１１は切欠溝１０に移動位置でその移動が停止し、支持軸１１を固定した状態で、第２のガイドローラ３Ｂは回転して溝５側より移動したロープ９を適切に取り出し移動する。【００５１】即ち、ローラチェーン７と各ガイドローラ３はそれぞれ連動してロープ９を移動するために、従来にないスムーズな移動を可能とする。【００５２】次に、ウインチ１の駆動軸２を回転して巻回ドラム６を回転（逆回転矢印Ｙ方向）し、ロープ９を第２のガイドローラ３Ｂで押圧しながら回転して巻回ドラム６側に取り入れ、さらにロープ９を巻回ドラム６の溝５に沿って巻回した後、巻回ドラム６よりロープ９を取り出し、第１のガイドローラ３Ａでロープ９を押圧しながら回転しウインチ本体４より取り出し移動する。【００５３】この際は、上記と逆に、第２のガイドローラ３Ｂはローラチェーン７に引っ張られないために、揺動しながら弱い力で押圧してロープ９を切欠溝１０の中央位置と後端部の間で移動し、第１のガイドローラ３Ａはローラチェーン７で強く引っ張られているために、支持軸１１を切欠溝１０の先端部で一定した状態で回転しロープ９を強く押圧しながら移動し、ウインチ本体４より取り出しすることで、該ロープ９に連結したネット又はシートを移動する。【００５４】また、ウインチ１に取り入れるロープ９側と取り出しするロープ９側では、ロープ９にかかるテンションが相違し、取り入れ側はテンションが弱く弛みが発生し易いが、取り入れ側のガイドローラ３はロープ９の揺動により、支持軸１１が切欠溝１０の中央位置まで移動して押圧し回転することで、撓みに対応してロープ９を巻回ドラム６の溝４側へ移動でき、また、取り出し側のロープ９のテンションが強くても、取り出し側のガイドローラ３は強い押圧で一定の位置で回転しているために、スムーズに溝５側より取り出し移動できる。【００５５】このように、本発明のエンドレス方式のウインチ１は、駆動軸２を正逆どちらに回転駆動しても、スムーズなロープ９の移動を行うことができる。【００５６】また、ローラチェーン７の両端側を弾性体で付勢されたガイドローラ３に交差して取り付けることで、常にウインチ１より取り出し側のロープ９を強く押圧しながら取り出し移動することができる。【００５７】また、ローラチェーン７の両端側をそれぞれガイドローラ３に連結することで、その構成を従来に比し、簡易に構成することができる。【００５８】また、ガイドローラ３に弾性体を連結しているために、その取り付けが従来のバネに直接取り付けた場合に比し容易である。【００５９】尚、上記実施例では、ガイドローラ３を並行して一対取り付けたが、本発明においてガイドローラ３の数及び設置位置は、これに限定されるわけでなく。例えば、２個の固定した回転軸に回転自在に設けられたガイドローラを巻回ドラム６の近傍に取り付け、該ガイドローラの後方に上記ガイドローラ３を取り付けることも可能である。【００６０】また、上記実施例では、バネ１２はローラチェーン７の端部をガイドローラ３で引っ張るように付勢すべくウインチ本体４とガイドローラ３の支持軸１１したが、本発明のバネ１２の取り付け位置はこれに限定されるものでなく、例えば、ローラチェーン７の端部とガイドローラ３の支持軸１１間にバネ１２を取り付けることで、ローラチェーン７の端部側に引っ張られるように構成することも可能である。【００６１】この場合、巻回ドラム６が回転するとローラチェーン７は回転方向に沿って所望量移動し、ロープ９の取り入れ側の端部７Ａは巻回ドラム６の溝５側にロープ９を押圧し、ロープ９の取出し側の端部７Ｂは移動により溝５より離反するとともに、端部７Ａに連結したガイドローラ３Ａは強く引っ張られ切欠溝１０の一定した位置で停止し回転してロープ９を取り出し、端部７Ｂに連結したガイドローラ３Ｂは端部７Ｂの引っ張りが弱くバネ１２の付勢により、切欠溝１０内で揺動移動を可能とし、ロープ９のテンションに応じて適切な位置で回転してロープ９を取り入れる。
【図面の簡単な説明】
【００６２】
【図１】本発明のエンドレス方式のウインチの一実施例を示す概略説明正面図
【図２】エンドレス方式のウインチを用いたロープの移動を示す概略説明正面図
【図３】エンドレス方式のウインチを用いたロープの移動を示す概略説明正面図
【図４】切欠溝に沿って移動する支持軸を示す概略説明図
【図５】切欠溝に沿って移動する支持軸を示す概略説明図
【図６】エンドレス方式のウインチを用いたネット又はシートの連結したロープの移動システムを示すフローチャート
【図７】本発明のエンドレス方式のウインチの他実施例を示す概略説明正面図
【符号の説明】
【００６３】１−ウインチ、２−駆動軸、３−ガイドローラ、７−ローラチェーン
【図１】
2012056768.tif 000003
【図２】
2012056768.tif 000004
【図３】
2012056768.tif 000005
【図４】
2012056768.tif 000006
【図５】
2012056768.tif 000007
【図６】
2012056768.tif 000008
【図７】
2012056768.tif 000009